(57)【要約】【課題】  パイプの上面に傷等を付けることなく、当該パイプをさおに取り付けることを可能にする。【解決手段】  時刻を指し示すさお２０と、前記さお２０の回転中心部に取り付けられるパイプ２１とを備え、前記さお２０の回転中心部分に、内側面に突起部２３を有するパイプ孔２０Ｃを形成し、前記パイプ孔２０Ｃに前記パイプ２１が挿入されたときに、前記突起部２３がかしめられて前記パイプ２１を保持するようにした。【選択図】      図４
2005326218.tif 000002
【特許請求の範囲】
【請求項１】
時計に用いられる指針において、
時刻を指し示すさおと、前記さおの回転中心部に取り付けられるパイプとを備え、
前記さおの回転中心部分に、内側面に突起部を有するパイプ孔を形成し、
前記パイプ孔に前記パイプが挿入されたときに、前記突起部がかしめられて前記パイプを保持するようにしたことを特徴とする指針。
【請求項２】
前記パイプの上面は、球面形状に形成されていることを特徴とする請求項１に記載の指針。
【請求項３】
前記パイプは、前記さおの上面に係止するヘッド部と、前記ヘッド部の下面に設けられ、前記パイプ孔に挿入される胴部とを備え、前記胴部の側面には、前記突起部に対応する位置に、前記突起部のたかさよりも浅い溝が形成されていることを特徴とする請求項１または２に記載の指針。
【請求項４】
前記指針は、時針及び分針を備えた二針式時計における前記分針であることを特徴とする請求項１乃至３のいずれかに記載の指針。
【請求項５】
文字板とムーブメントとを収容した時計ケースと、前記ムーブメントにより回転駆動され、前記文字板上に配置された指針とを備えた時計において、
前記指針は、時刻を指し示すさおと、前記さおの回転中心部に取り付けられ、前記ムーブメントの軸端に連結されるパイプとを備え、前記さおの回転中心部分に、内側面に突起部を有するパイプ孔を形成し、前記パイプ孔に前記パイプが挿入されたときに、前記突起部がかしめられて前記パイプを保持するようにしたことを特徴とする時計。
【発明の詳細な説明】
【技術分野】
【０００１】
本発明は、指針及び当該指針を備えた時計に関する。
【背景技術】
【０００２】
従来から、時針や分針、秒針などの指針を備えた指針式の時計が知られている。また、この種の時計には、上記指針の中で一番表面側に配置される指針（通常は秒針）の回転中心部分にパイプを取り付け、高級感を出すようにしたものがある（例えば、特許文献１参照）。
ここで、図８に示すように、パイプ１０３は、指針（例えば秒針）１００が備える長細のさお１０１に形成された孔部１０２に差し込まれて固定されるのが一般的である。パイプ１０３の固定構造について説明すると、パイプ１０３は、さお１０１の上面に係止されるヘッド部１０４と、孔部１０２に挿入される胴部１０５とを備えると共に、この胴部１０５の側面上に、さお１０２の裏面側に突出する爪部１０６が形成され、胴部１０５を、さお１０１の孔部１０２に挿入した後、爪部１０６を、さお１０２の裏面側に折り曲げてかしめることで、パイプ１０３がさお１０１に固定されるようになっている。
また、爪部１０６をかしめる際には、当該爪部１０６が上側にくるように、さお１０１及びパイプ１０３を上下反転させ、ヘッド部１０４の上面をワーク台等の上面に宛がいつつ爪部１０６のかしめ作業が行われる。
【特許文献１】特開２００３−２７０３６１号公報
【発明の開示】
【発明が解決しようとする課題】
【０００３】
しかしながら、爪部１０６のかしめ作業中に、ヘッド部１０４の上面が、ワーク台の上面等に当接するため、当該ヘッド部１０４の上面は平坦にする必要があり、球面形状とすることができない、といった問題がある。
また、ヘッド部１０４の上面がワーク台の上面と当接することで、当該ヘッド部１０４の上面に傷が付き、高級感を損なうといった問題もある。
さらに、このように、ヘッド部１０４の上面に傷が付いた場合、かしめ作業の後に、ヘッド部１０４の上面をダイヤカット等による研磨工程を要してしまい、作業工程が長くなるといった問題もあり、また、ダイヤカット等による研磨が失敗する等して不良品が発生し、歩留まりが悪くなるといった問題もある。
【０００４】
本発明は、上述した事情に鑑みてなされたものであり、パイプの上面に傷等を付けることなく、当該パイプをさおに取り付けることのできる指針及び時計を提供することを目的とする。
【課題を解決するための手段】
【０００５】
上記目的を達成するために、本発明は、時計に用いられる指針において、時刻を指し示すさおと、前記さおの回転中心部に取り付けられるパイプとを備え、前記さおの回転中心部分に、内側面に突起部を有するパイプ孔を形成し、前記パイプ孔に前記パイプが挿入されたときに、前記突起部がかしめられて前記パイプを保持するようにしたことを特徴とする。
【０００６】
本発明によれば、パイプをパイプ孔に挿入することで、突起部がかしめられて、パイプを保持固定するため、パイプをパイプ孔に挿入した後に、パイプの上面に傷などを付ける恐れのあるかしめ作業を必要とせずに、パイプをさおに固定することができる。また、パイプを、その上面に傷を付けることなく、さおに取り付けることができるため、パイプの取り付け後に、その上面に対する研磨工程が不要となり、作業工程を短縮することができると共に、歩留まりを向上させることができる。
また、上記発明において、前記パイプの上面は、球面形状に形成されていることが望ましい。
【０００７】
また、上記発明において、前記パイプは、前記さおの上面に係止するヘッド部と、前記ヘッド部の下面に設けられ、前記パイプ孔に挿入される胴部とを備え、前記胴部の側面には、前記突起部に対応する位置に、前記突起部のたかさよりも浅い溝が形成されていることも望ましい。この望ましい構成によれば、突起部と溝との係合により、パイプとさおとの取付強度を高めることができる。
また、上記発明において、前記指針は、時針及び分針を備えた二針式時計における前記分針に適用可能である。
【０００８】
また、上記発明において、文字板とムーブメントとを収容した時計ケースと、前記ムーブメントにより回転駆動され、前記文字板上に配置された指針とを備えた時計において、前記指針は、時刻を指し示すさおと、前記さおの回転中心部に取り付けられ、前記ムーブメントの軸端に連結されるパイプとを備え、前記さおの回転中心部分に、内側面に突起部を有するパイプ孔を形成し、前記パイプ孔に前記パイプが挿入されたときに、前記突起部がかしめられて前記パイプを保持するようにしたことを特徴とする。
【発明の効果】
【０００９】
本発明によれば、パイプの上面に傷等を付けることなく、当該パイプをさおに取り付けることができる。
【発明を実施するための最良の形態】
【００１０】
以下、図面を参照して本発明の実施の形態について説明する。図１は、本実施の形態に係る腕時計１の外観構成を示す上面図である。この図に示すように、腕時計１は、時刻表示を行う時計本体１０と、この時計本体１０に連結されたバンド１９とを備えている。時計本体１０は、時計ケース１１と、当該時計ケース１１の側面に設けられた竜頭１２と、時計ケース１１の上面に嵌め込まれたガラス材等の透明部材からなる時刻表示窓１３と、この時刻表示窓１３の下方に設けられた文字板１４と、時刻表示窓１３と文字板１４との間に配置され、時刻を指し示す指針１５とを備えている。本実施の形態では、上記指針１５は、時針１６、分針１７及び秒針１８の３つの針を備え、腕時計１が三針式の時計として構成されている。
【００１１】
また、この時計本体１０には、図示せぬムーブメントが文字板１４の背後に配置されていると共に、図示せぬ裏蓋が時計ケース１１の背面に取り付けられている。このムーブメントは、時針１６を駆動する４番車、分針１７を駆動する２番車及び秒針１８を駆動する筒車等の歯車輪列を備えている。ここで、本実施の形態では、秒針１８が分針１７及び時針１６よりも一番表面側に配置されている。
【００１２】
図２は上記秒針１８の斜視図であり、また、図３は秒針１８の断面図である。これらの図に示すように、秒針１８は、文字板１４上で秒を指し示すさお２０と、さお２０の回転中心部分に接合され、上記４番車の軸端に嵌合されるパイプ２１とを備えている。さお２０は、ＪＩＳ２８００やＪＩＳ２８０１などの真鍮（ＢＳ：ブラス）或いはＪＩＳ５０５２などのアルミニウム合金から形成され、基端部２０Ａから先端部２０Ｂに向かって先細りする棒状に形成されている。また、さお２０は断面略半円形（いわゆる甲丸形状）に形成され、高級感を出すために、その上面には鏡面加工が施されている。なお、さお２０の断面形状はこれに限らず、上面が扁平な板状に形成し、高級感を出すために、その上面をダイヤカットした構成としてもよい。
【００１３】
さお２０の基端部２０Ａ近傍の回転中心部には、図３に示すように、パイプ２１との接合部となるパイプ孔２０Ｃが形成されている。パイプ２１は、円柱状の胴部２１Ａと、当該胴部２１Ａの上端に一体成形され、胴部２１Ａよりも拡径する上面視略円形のヘッド部２１Ｂとを備え、この胴部２１Ａには、上記４番車の軸端に嵌合される軸穴２２が形成されている。
【００１４】
また、パイプ２１のヘッド部２１Ｂの上面は、時刻表示窓１３から視認可能な球面形状に形成されると共に、高級感を出すべく、この上面に対して鏡面加工が施されている。本実施の形態では、このパイプ２１は、上記真鍮（ＢＳ：ブラス）、洋白（ＮＳ：ニッケルシルバー）、或いは、１４金ゴールドから形成することとしている。この１４金ゴールドの組成は、例えば、金(Ａｕ)０．２５ｗｔ％、銀(Ａｇ)１４．２〜１４．８ｗｔ％、銅(Ｃｕ)２１．４〜２２ｗｔ％、亜鉛（Ｚｎ）４．５〜５．５ｗｔ％、残部がニッケル(Ｎｉ)である。パイプ２１の材質に、かかる金属材を用いることで、表面の金属光沢により、さらなる高級感が出されている。
【００１５】
なお、さお２０をアルミニウム合金の白色とすると共に、パイプ２１を１４金ゴールドとするといったように、さお２０の色と、パイプ２１の色とを異ならせることで、より高級感を出すことができる。また、アルミニウム合金は、チタン合金や特殊黄銅などに比べて比重が小さいので、さお２０をアルミニウム合金から形成することで、長いさお２０あるいは大きいさお２０を採用することができ、秒針１８の駆動エネルギーを抑えながら、時計の視認性を向上できる。特に、アルミニウム合金の色は白色系なので、暗い場所において、見やすい表示となる。さらに、アルミニウム合金は加工性に優れているので、さお２０の加工工数を減らすことができ、よって、製造工程を簡略化でき、安価に製造できる。
【００１６】
次いで、さお２０へのパイプ２１の取付構造について詳述する。図４は、さお２０に形成されたパイプ孔２０Ｃの構成を拡大して示す図である。この図に示すように、パイプ孔２０Ｃは上面視円形に形成され、その内周面には４つの突起部２３がほぼ等間隔に一体形成されている。各突起部２３は、直角三角形状に形成され、パイプ孔２０Ｃの直径を約１ｍｍとした場合には、この突起部２３の高さは例えば約０．０２ｍｍ程度に形成される。
【００１７】
一方、上記パイプ２１の胴部２１Ａの直径は、上記パイプ孔２０Ｃの直径とほぼ同程度の大きさに形成される。すなわち、かかる構成の下、パイプ２１をパイプ孔２０Ｃに嵌め込むと、パイプ２１の胴部２１Ａにより上記突起部２３がパイプ２１の嵌め込み方向に折れ曲がり、或いは、パイプ孔２０Ｃの内周面に向けて押し潰されるようにかしめられ、このかしめにより、パイプ２１が保持されて、パイプ孔２０Ｃに強固に連結されることとなる。なお、上記突起部２３の数は、パイプ２１の保持力やさお２０の加工性及び加工コスト等を考慮して、おおよそ４つ程度にするのが望ましい。
【００１８】
次に、かかる構成の秒針１８の製造工程について説明する。図５に示すように、まず、アルミニウム合金、或いは、真鍮の鍛造成形（ステップＳ１）および仕上げ抜き後（ステップＳ２）、所定の長さに切断して（ステップＳ３）、上記パイプ孔２０Ｃ及び突起部２３と共にさお２０を形成する。その後、さお２０を、接着剤やテープ等によって研磨治具に固定し（ステップＳ４）、表側全体を仕上げ研磨する（ステップＳ５）。一方、さお２０とは別に、１４金ゴールド、真鍮、或いは、洋白からパイプ２１を切削加工により形成し（ステップＳ６）、バレル研磨（ステップＳ７）及び仕上げ研磨（ステップＳ８）する。この仕上げ研磨によりパイプ２１のヘッド部２１Ｂが鏡面に仕上げられることとなる。そして、このパイプ２１をさお２０のパイプ孔２０Ｃに嵌入し、突起部２３をかしめることで、パイプ２１をさお２０に取り付け、秒針１８を形成する。そして、秒針１８を電解洗浄等により洗浄した後（ステップＳ１０）、さお２０の上面全体にメッキ処理を施す（ステップＳ１１）。このメッキ処理としては、パラジウムやロジウムのイオンプレーティング或いは蒸着等の乾式メッキなどが採用できる。
【００１９】
このように、本実施の形態によれば、パイプ孔２０Ｃの内周面上に突起部２３を形成し、この突起部２３がパイプ２１の挿入によってかしめられ、パイプ２１を保持する構成としたため、パイプ２１をパイプ孔２０Ｃに挿入した後に、パイプ２１のヘッド部２１Ｂの上面に傷などを付ける恐れのあるかしめ作業を必要とせずに、パイプ２１をさお２０に取付固定することができる。また、パイプ２１を、その上面に傷を付けることなく、さお２０に取り付けることができるため、パイプ２１の取り付け後に、その上面に対する研磨工程が不要となり、作業工程を短縮することができると共に、歩留まりを向上させることができる。
【００２０】
また、本実施の形態によれば、パイプ２１をパイプ孔２０Ｃに挿入する際に、突起部２３がかしめられるため、かしめ作業のために、当該パイプ２１のヘッド部２１Ｂの上面をワーク台の上面等に宛がう必要がなく、これにより、当該ヘッド部２１Ｂの形状に球面を用いることが可能となり、これにより、高級感を向上させることができる。なお、本実施の形態では、ヘッド部２１Ｂの上面が球面形状の場合について例示したが、これに限定されず、他の形状としても良いことは勿論である。
【００２１】
なお、上述した実施の形態は、あくまでも本発明の一態様を示すものであり、本発明の範囲内で任意に変形及び応用が可能である。例えば、上述した実施の形態では、時針１６、分針１７及び秒針１８を備える三針式の腕時計１を例示したが、これに限らず、時針及び分針のみを有する時計にも、本発明を適用することができる。この場合には、時針及び分針のうち、上方に配置される指針（通常は分針）のさおに上記パイプ孔２０Ｃを形成し、パイプ２１を取り付けるようにすれば良い。ここで、一般には、時針及び分針の上下方向の配置間隔は、秒針と分針との配置間隔よりも狭く形成されている。従って、従来のパイプ１０３（図８参照）では、さおの裏面側に突出する爪部１０６の分だけ胴部１０５が長くなるため、従来のパイプ１０３を分針に取り付けることは困難であった。これに対して、本発明のパイプ２１によれば、爪部１０６が不要であるため、胴部２１Ａを短くでき、分針にも取り付けることが可能となるのである。
【００２２】
また、上述した実施の形態において、図６及び図７に示すように、パイプ２１の胴部２１Ａの外周面上に、パイプ孔２０Ｃに設けられた突起部２３に対応する位置に、当該突起部２３の高さよりも浅く彫られた溝部２４を設ける構成としても良い。この構成によれば、当該溝部２４と突起部２３との位置を合わせることで、パイプ２１の取付け位置を正確に合わせることができる。また、パイプ孔２０Ｃにパイプ２１を挿入した際に、突起部２３がかしめられると共に、溝部２４と係合し、さお２０の回転方向におけるさお２０とパイプ２１との接合強度が高められる。
【００２３】
また、パイプ２１の材質として、１４金ゴールドの他に、例えば５金（５Ｋ）や、９金（９Ｋ）、１８金（１８Ｋ）等のゴールドを採用するようにしても良い。なお、コストの面では、１８金は比較的高価になるが、それ以外、すなわち、５金、９金、１４金は価格差が小さいので、経済性、市場での入手性を考慮すると、１４金ホワイトゴールドが最良である。
【図面の簡単な説明】
【００２４】
【図１】本発明の実施の形態に係る腕時計の外観構成を示す上面図である。
【図２】秒針の構成を示す斜視図である。
【図３】秒針の構成を示す断面図である。
【図４】さおに形成されたパイプ孔を拡大して示す図である。
【図５】秒針の製造工程を示す図である。
【図６】本発明の変形例に係るパイプの構成を示す側面図である。
【図７】同パイプの構成を示す背面図である。
【図８】パイプを備えた従来の指針の構造を示す図である。
【符号の説明】
【００２５】
１…腕時計、１０…時計本体、１１…時計ケース、１４…文字板、１５…指針、１６…時針、１７…分針、１８…秒針、２０…さお、２０Ｃ…パイプ孔、２１…パイプ、２１Ａ…胴部、２１Ｂ…ヘッド部、２３…突起部、２４…溝部。
【図１】
2005326218.tif 000003
【図２】
2005326218.tif 000004
【図３】
2005326218.tif 000005
【図４】
2005326218.tif 000006
【図５】
2005326218.tif 000007
【図６】
2005326218.tif 000008
【図７】
2005326218.tif 000009
【図８】
2005326218.tif 000010